(57)【特許請求の範囲】
【請求項１】
開口部を有しかつ通気性を有する袋状の包装体を用意する工程と、
前記開口部から前記包装体の内部に球状繊維の集合体を充填する工程と、
前記球状繊維の集合体が充填された前記包装体の前記開口部を閉鎖する工程とからなる製造方法により得られ、
形状を維持するための連続的な鍔部を表面に有していない、
パッド。
【請求項２】
前記包装体が伸縮性材料を用いて形成されている、請求項１に記載のパッド。
【請求項３】
前記球状繊維が球状綿である、請求項１または２に記載のパッド。
【発明の詳細な説明】
【０００１】
【発明の属する技術分野】
本発明は、パッド、特に、包装体内に封入された充填物を備えたパッドに関する。
【０００２】
【従来の技術とその課題】
衣服や下着類は、見かけ上の体形やシルエットを整えるために、肩部、胸部および臀部などの部位にパッドを装着している場合がある。例えば、図６に示すように、ブラジャー用のパッド１は、通常、所定の形状、例えば、半球状や三角形状等に設定された布帛からなる包装体２と、当該包装体２内に配置されたウレタンや不織布などの充填物３とを備えており、形状を維持するために包装体２の周縁部４が連続的な鍔状に縫製されている。この種のパッド１は、通常、ブラジャーのカップ部分の内側に設けたスリット内に挿入して用いられるか、或いはカップの内側に重ねて配置して用いられ、胸部に見かけ上のボリューム感を与えると共に、胸部の形を整えている。
【０００３】
ところが、上述のようなパッド１はカップ側の形状に適合するよう形状が予め決められているのに対し、人間の体形は千差万別であるため、当該パッド１を備えたブラジャーを装着した女性が期待通りに胸部のボリューム感を実現したり胸部の形を整えたりするのは困難である。
【０００４】
本発明の目的は、自由に変形可能なパッドを実現することにある。
【０００５】
【課題を解決するための手段】
本発明のパッドは、開口部を有しかつ通気性を有する袋状の包装体を用意する工程と、開口部から包装体の内部に球状繊維の集合体を充填する工程と、球状繊維の集合体が充填された包装体の開口部を閉鎖する工程とからなる製造方法により得られ、形状を維持するための連続的な鍔部を表面に有していないものである。
【０００６】
ここで、包装体は、例えば、伸縮性材料を用いて形成されている。また、球状繊維は、例えば、球状綿である。
【０００７】
【発明の実施の形態】
図１および図２（図１のＩＩ−ＩＩ断面図）を参照して、本発明の実施の一形態に係るパッドを説明する。図において、パッド１０は、包装体１１と、包装体１１内に封入された充填物１２とを主に備えている。
【０００８】
包装体１１は、図３に示すように、充填物１２を内部に入れるための開口部１１ａを一部に有する袋状であり、例えば、ポリアミド樹脂（ナイロン）やポリエステル樹脂等の伸縮加工糸、ポリウレタン混用糸などの伸縮性を有する糸を用いて形成されたストレッチ織物や各種の編物（ニット）などの伸縮性材料、特に伸縮性の布帛を用いて形成されている。その結果、開口部１１ａは、拡大、縮小可能な伸縮性を有している。なお、包装体１１は、蒸れを抑制するために、通気性を有しているのが好ましい。
【０００９】
開口部１１ａは、包装体１１内に充填物２を充填した状態で、例えば縫製等の手法により閉鎖されている。この結果、充填物１２は、包装体１１内に封入されることになる。
【００１０】
一方、充填物１２は、包装体１１内において一定の形状で固定されない（すなわち、変形が可能な）不定形の材料からなる。このような材料としては、例えば、綿、シリコンゴムおよび吸水性樹脂のゲル化物などの柔軟性を有する材料からなる一体的なものであってもよいし、球状綿等の球状繊維の集合体、樹脂製ビーズや発泡樹脂製ビーズの集合体または真珠の屑球の集合体などの小片の集合体からなるものであってもよい。但し、充填物１２を構成する小片としては、球状繊維や発泡樹脂製ビーズなどの柔軟性を有する材料が好ましい。
【００１１】
このようなパッド１０を製造する場合は、先ず、包装体１１を用意し、その開口部１１ａから包装体１１の内部に充填物１２を充填する。この際、開口部１１ａは包装体１１が伸縮性材料からなるため容易に拡大するので、充填物１２を包装体１１内に容易に充填することができる。次に、開口部１１ａを縫製等の方法により閉鎖すると、目的とするパッド１０が得られる。なお、このパッド１０は、包装体１１として上述のような袋状のものを用いているので、形状を維持するための鍔部、特に、縫製やヒートシール等による連続的な鍔部を表面に有していない。
【００１２】
なお、充填物１２の充填量は、特に限定されるものではないが、包装体１１を構成する伸縮性材料が若干伸張した状態になる程度に設定するのが好ましい。充填物１２の充填量をこのように設定すると、パッド１０に対して適度の弾力感を与えることができ、使用者が感じる違和感を軽減することができる。
【００１３】
次に、パッド１０の使用方法を説明する。
このパッド１０は、例えば、女性の胸部に見かけ上のボリューム感を与えたり、胸部の形を整えたりするために用いることができる。例えば、図４に示すように、ブラジャー２０のカップ２１内において、その下部にパッド１０を配置し、乳房２２を全体的に上方に持ち上げるようにすると、胸部全体に見かけ上のボリューム感を与えることができる。また、図５に示すように、カップ２１内において、その外側部分にパッド１０を配置し、乳房２２を体の内側方向に押圧するようにすると、胸部に見かけ上の盛り上がり感２３を付与することができ、胸部の立体感を強調することができる。
【００１４】
上述のような使用時において、パッド１０は、充填物１２の変形に追従して包装体１１もしなやかに変形するので、例えば厚さの小さな部分と大きな部分とを任意に設ける等、厚さを部分的に調整したり、屈曲させたり、若しくは捻ったりすることができ、所望の形状に自由に設定することができる。すなわち、このパッド１０は、カップ２１の形状に応じて自由に変形させることができ、同時に個人差のある乳房の形状に応じて自由に変形させることができるため、カップ２１内において使用者の乳房の形状に応じて自由に変形させて安定に配置することができる。したがって、このパッド１０を用いれば、使用者に違和感を与えることなく所要の使用目的を達成することができる。
【００１５】
また、このパッド１０を用いれば、胸部のボリューム感や立体感を強調するだけでなく、体とブラジャーとのフィット感を高めることもできる。
【００１６】
パッド１０は、ブラジャー以外の各種の下着類や衣類に用いることもできる。この場合、パッド１０は、衣類等の使用部位および使用者の体形に対応させて自由に変形させることができるので、使用者に違和感を与えることなく、衣類の肩部、胸部または臀部等の各種の部位のシルエットを自由に整えることができる。
【００１９】
本発明のパッドは、上述の製造方法により得られ、形状を維持するための鍔部を表面に有していないものであるため、人の体形に対応して変形させることができる等、使用目的に応じて自由に変形可能である。
【図面の簡単な説明】
【図１】本発明の実施の一形態に係るパッドの斜視図。
【図２】図１のＩＩ−ＩＩ断面図。
【図３】前記パッドにおいて用いられる包装体の斜視図。
【図４】前記パッドの使用例を示す図。
【図５】前記パッドの他の使用例を示す図。
【図６】従来のパッドの一例の斜視図。
【符号の説明】
１０  パッド
１１  包装体
１１ａ  開口部
１２  充填物
【図１】
0003877056.tif 000002
【図２】
0003877056.tif 000003
【図３】
0003877056.tif 000004
【図４】
0003877056.tif 000005
【図５】
0003877056.tif 000006
【図６】
0003877056.tif 000007